(57)【要約】【課題】複数の自治体の提供する施設の一括検索を可能とし、既存の施設予約システムの構成変更を必要としないようにする。【解決手段】施設の利用を希望するユーザの端末装置と、施設を提供する提供機関の施設予約システムに通信網を介して接続し、提供機関の識別情報に対応付けて提供対象となる施設の情報を記録した施設情報データベースと、ユーザの端末装置に検索条件入力画面を表示する手段と、入力画面に入力された検索条件を受信する手段と、受信した条件に基づき、施設情報データベースから当該条件を満たす施設の情報を検索する検索手段と、ユーザの端末装置に前記検索手段で検索した施設情報を表示する手段を備え、検索条件として複数の提供機関を指定して検索する手段と、検索結果として表示した施設を管理する提供機関の予約システムにアクセスし予約状況を取得する手段を備える。【選択図】　図１
2004062263.tif 000002
【特許請求の範囲】
【請求項１】
施設の利用を希望するユーザの端末装置と、施設を提供する１つ以上の提供機関の施設予約システムに通信網を介して接続し、提供機関の識別情報に対応付けて提供対象となる施設の情報を記録した施設情報データベースと、前記ユーザの端末装置に検索条件入力画面を表示する手段と、前記入力画面に入力された検索条件を受信する手段と、受信した条件に基づき、前記施設情報データベースから当該条件を満たす施設の情報を検索する検索手段と、前記ユーザの端末装置に前記検索手段で検索した施設情報を表示する手段を備え、検索条件として複数の提供機関を指定して検索する手段と、検索結果として表示した施設を管理する提供機関の予約システムにアクセスし予約状況を取得する手段を備えたことを特徴とする広域施設検索システム。
【請求項２】
請求項１記載の広域施設検索システムであって、ユーザが検索するための画面テンプレートの各項目に対応付けた入力項目及び入力条件を有する施設情報登録用テンプレートを備えたことを特徴とする広域施設検索システム。
【請求項３】
請求項１または２に記載の広域施設検索システムであって、登録する施設情報として地図座標情報を設け、住所に対応する位置座標データベースを備え、施設の住所を登録すると、住所に対応する施設の座標を特定し、前記地図座標情報として登録することを特徴とする広域施設検索システム。
【請求項４】
請求項１または２または３に記載の広域施設検索システムであって、登録する施設情報として特定期間の利用可否情報を設け、利用できない期間の始点と終点を設定することで一時的に検索対象から除外することを特徴とする広域施設検索システム。
【発明の詳細な説明】
【０００１】
【発明の属する技術分野】
本発明は、インターネット、パソコン通信等のネットワーク（通信網）を利用した施設検索システムに関するものである。
【０００２】
【従来の技術】
施設の予約に関して、近年では、特開２００１−２８２９４９号公報「エントリーシステム」や、特開２００２−０４１９１６号公報「施設予約システム及び施設予約方法」にあるような、インターネット等を利用し、遠隔地から、当該予約条件を満たす施設の空き状況を検索し、予約を受け付けることが可能となるものが知られている。
【０００３】
【発明が解決しようとする課題】
上記従来の技術のような公共施設におけるインターネット等からの施設予約により、利用者は時間、場所の制約を受けずに施設の予約が可能となった。
【０００４】
しかし、小規模自治体に施設予約システムを導入した場合、電話やＦＡＸ等で受け付けた予約を即時に担当者が手作業で施設予約システムに入力する必要があり、逆に運営の負担となっていた。この問題を解決するために複数自治体で共通の広域施設予約システムを構築することが考えられているが、同じ使い勝手のシステムを提供するには施設の名称や利用条件等を共通化する必要があり、既存の予約システムが存在する場合には既存システムの変更を図る必要もあるという問題があった。また、名称を変更しても、検索条件を文字入力で指定する場合、地域で浸透した名称で検索する傾向があり、正しい検索結果が得られないという問題があった。
【０００５】
本発明の目的は、上記課題を解決し、複数の自治体の提供する施設の一括検索を可能とし、かつ既存の施設予約システムの構成変更を必要としない広域施設検索システムを提供することにある。
【０００６】
【課題を解決するための手段】
上記課題を解決するため、本発明の広域施設検索システムは、施設の利用を希望するユーザの端末装置と、施設を提供する１つ以上の自治体の施設予約システムに通信網を介して接続する。自治体の識別情報に対応付けて提供対象となる施設の情報を記録した施設情報データベースを備え、これにより自治体により異なる施設の名称に共通分類を付けて格納する。共通分類は基本情報テーブルとして予め設定しておく。各自治体の施設予約システムとは、自治体の識別コードと施設の識別コードにより連携する。また、ユーザの端末装置に検索条件入力用の共通テンプレート画面を提供し、予め設定したリスト項目から選択することで検索条件を入力させる。検索条件を受信すると、受信した条件に基づき、前記施設情報データベースから当該条件を満たす施設の情報を検索手段により検索する。検索結果を一覧表示する際、予約状況を表示するボタンやチェックボックス等をそれぞれの施設に対応付けて表示し、予約状況表示の指示を受けて、前記連携手段により各自治体のシステムに問い合わせを発信する、この時、検索条件としてユーザが選択した施設識別コードと利用日時を送信する。検索結果は施設に対応付けて表示するが、この時利用可・不可だけの情報でも、空き時間や予約済時間を表示しても良い。
【０００７】
この予約状況の検索はユーザの指示によらず、施設検索時に予約状況も検索しても良い。
【０００８】
施設情報の登録は、各自治体の端末装置から、施設情報登録用のテンプレートにより基本情報に対応する情報を選択し、住所や名称等の情報は文字入力することで実施する。この時既存の施設予約システムが存在する場合には、予約システムに登録済の施設ならその情報を流用し、新規登録なら両者に同じ情報を入力するようにテンプレートを設計する。テンプレートで選択する基本情報はユーザが検索時に選択する情報と同一のものであるため、検索条件の入力ミスにより検索結果が出ないという問題を回避することができる。
【０００９】
また、請求項３に記載のように、登録する施設情報として地図座標情報を設け、住所に対応する位置座標データベースを備える構成としても良い。この場合、施設の住所を登録すると、システムは住所に対応する施設の座標を抽出し、地図座標情報として登録する。地図座標情報は検索結果の表示に用い、地図画面に施設の位置を表示するために用いる。
【００１０】
また、請求項４記載のように、登録する施設情報として特定期間の利用可否情報を設け、利用できない期間の始点と終点を登録しても良い。施設検索時に利用否フラグの立っている施設を検索対象から除外するか、検索結果に一時利用不可表示を行う。この表示に加えて利用不可期間と事由を表示しても、ユーザの指示により詳細情報として表示しても良い。
【００１１】
【発明の実施の形態】
以下、本発明の実施の形態を詳細に説明する。
【００１２】
図１は、本発明の一の実施形態にかかる広域施設検索システムを用いた施設検索方法の一例を示す全体構成図である。この図に示したように、本実施形態にかかる施設検索システム１０は、施設の利用を希望するユーザが利用可能な端末装置１５と、施設を提供する施設提供者の保有する端末装置１１１，１２１，１３１，１４１との双方に通信網を介して接続されており、情報送信装置（サーバ）として機能する。例えば、インターネットを介して接続されていれば、ウエブサーバとして機能するものである。施設検索システムとユーザの端末装置１５は施設提供者の予約システム１１，１２，１３および端末装置１１１，１２１，１３１，１４１とを結ぶ通信網は、双方向のデータ送信が可能なものであればよく、限定されるものではない。また、通信網としてインターネット等を利用する場合の通信プロトコルも限定されるものでない。
【００１３】
図２は、利用者がユーザＩＤ、パスワードを入力、送信しその内容が正しいと判断された後に表示する施設検索画面の一例である。ここでは検索条件として地域、施設区分、利用日付、時間帯、人数等の基本情報と駐車場の有無、雨天時可否区分、鉄道、バスなどの公共交通機関の最寄駅から徒歩での時間を分別する区分、等を入力または選択する項目を持つ。これらは、図４に示すような基本情報テーブルで選択肢を設定し、ドロップダウンリスト等の選択画面によりポインティングデバイスで選択して検索条件とする。
【００１４】
図２の入力項目の中で地域については、利用者がユーザＩＤ取得時に登録した住所を標準値としてあらかじめ表示して、選択操作を１つ省略できる形にしても良い。また、この項目に“指定無し”を選択することで、複数自治体を対象とする施設検索が出来る。
【００１５】
検索した結果、条件に該当する施設を一覧表形式で表示する。一覧表の各施設の行それぞれに、予約状況を検索するボタンや地図表示システムとリンクするアイコンや天候情報提供システムとリンクするアイコンを表示する。
【００１６】
予約状況をクリックすると、対象自治体の識別コードからどの自治体の予約システムかを識別し、施設の識別コードを一覧から、検索日時を検索条件から取得して予約システムに送信し、該当する施設の該当する日時の予約状況を取得する。予約情報が無ければ利用可の表示を画面に表示し、情報があれば利用不可や予約済を表示する。
【００１７】
地図アイコンをクリックすると、施設情報データベース１０に登録した施設の座標データに対応する地域地図を選択し、座標を地図上に表示する。これにより、ピンポイントで施設周辺及び施設の位置を記した地図を表示することが出来る。
【００１８】
また、同様に天候情報アイコンをクリックすると、施設情報データベース１０に登録された施設の座標データと検索条件に入力した利用日を天候情報検索システムに送信し、ピンポイントで施設周辺の天気予報を表示する。天候情報提供システムは、一般にＷｅｂ上で提供されている住所を入力してその場所の天気を表示するようなシステムを利用しても良い。
【００１９】
図３は、施設提供者が本システムにアクセスし、ユーザＩＤとパスワード認証後、表示する施設情報の登録／更新画面の例である。ここでは登録の項目すなわち情報の入力項目は、施設区分、利用開始許可年月日、利用可能時間帯（開始／終了）、料金、施設の住所、最寄りの公共交通機関とそこから徒歩で掛かる時間、駐車場有無、雨天時の可否、連絡先電話番号、等である。基本情報テーブルにある項目、すなわち検索に供する項目は、リストからプルダウンで選択する。数字項目も同様に選択することができる。また、基本情報テーブルに該当する項目が無い場合は、基本情報テーブルにデータを追加または更新してから入力する。その他の結果表示に用いる項目は、キー入力する。施設の住所情報、連絡先等は運営主体のホームページにリンクすることにして省略しても良い。リンクは必須ではなく、ホームページや施設予約システムを持たない施設提供者もここで基本情報を入力することで、広域施設検索に参加することが可能となる。予約システムが無い、アクセスを許可しない等の場合は、その旨を備考等に記載するか、予約状況確認可・不可の項目を設け、不可を選択するように設定する。
【００２０】
住所情報の入力支援として、郵便番号を入力し、検索ボタンを押すと他の郵便番号検索システムから住所を取得して、該当エリアに表示する方法としても良い。
【００２１】
また、施設登録／更新時に利用施設や駐車場、雨天設備は工事等で利用できない期間を設定しても良い。
【００２２】
新規登録時に過去の入力情報、他の類似施設、テンプレートを呼び出して参照する方法としても良い。テンプレートは施設区分毎に標準の情報を登録しておく。テニスコートを例に取ると図５に示すような内容を登録しておく。設定した標準の情報を呼び出し、それぞれの項目に表示する。
【００２３】
図３の施設登録において、既に予約システムを導入して施設の情報を登録している場合は、予約システム情報呼出ボタンで呼び出すことにより、そのシステムから必要な情報を引用しても良い。
【００２４】
【発明の効果】
以上述べたように、本発明によれば、既存の施設予約システムがある自治体も無い自治体も、共通の検索システムで施設情報を提供することが可能となる。
【００２５】
また、基本情報テーブルを設定することで、検索においても登録においてもドロップダウンリスト等の選択方式での入力が可能となり、利用者、施設提供者の利便性が向上する。さらに、同じテーブルデータから条件を選択するため、検索条件の入力ミスがなくなると共に、検索項目において同様の意味でありながら、表現が異なることによる不一致がなくなり、検索率、スループットが向上する。
【００２６】
さらに、施設、駐車場、雨天用設備等が一時的に利用できない期間を設定することができるため、利用予定日の検索条件に例えば利用できない期間に表示されてしまうことを抑止できる。
【図面の簡単な説明】
【図１】本実施形態の一例を示す概略構成図である。
【図２】同実施形態にかかる、利用者の施設検索入力画面の一例を示す図である。
【図３】同実施形態にかかる、施設提供者の施設登録／更新画面の一例を示す図である。
【図４】同実施形態にかかる、基本情報テーブルの一例を示す図である。
【図５】同実施形態にかかる、施設情報テンプレートの一例を示す図である。
【符号の説明】
１０…広域施設検索システム装置、１０１…施設情報データベース、１０２…施設情報テンプレート、１０３…基本情報テーブル、１１…Ａ市予約システム装置、１１１…Ａ市施設提供者端末装置、１２…Ｂ市予約システム装置、１２１…Ｂ市施設提供者端末装置、１３…Ｃ市予約システム装置、１３１…Ｃ市施設提供者端末装置、１４１…Ｄ市施設提供者端末装置、１５…利用者端末装置。
【図１】
2004062263.tif 000003
【図２】
2004062263.tif 000004
【図３】
2004062263.tif 000005
【図４】
2004062263.tif 000006
【図５】
2004062263.tif 000007